(57)【要約】【課題】定着筋に作用する引張力や圧縮力に対する信頼性が高く、かつ部品数を少なく抑えることができ、現場における施工に優れた杭頭接合構造、接合金具、および施工方法を提供する。【解決手段】円弧状の部材１ａ，１ｂからなる取付金具１を、杭鋼管１０の杭頭部に両側から杭頭部を挟み込むように取り付ける。取付金具１の内周面には、Ｕ字状の嵌合溝３が所定間隔をおいて複数形成されており、この嵌合溝３にＵ字状定着筋５の下端屈曲部を嵌合した状態で取り付けることで、Ｕ字状定着筋５が杭頭部の外周面と取付金具１の内周面との間に挟み込まれた形で取り付けられる。杭頭部の外周面および取付金具１の内周面には、さらに互いに嵌合する凸部１１ａ，１１ｂおよび凹部４ａ，４ｂが形成されており、取付金具１の位置決め等に利用できる他、杭頭接合部の完成状態における応力の伝達にも寄与する。【選択図】    図２
2004183220.tif 000002
【特許請求の範囲】
【請求項１】
基礎杭を構成する杭鋼管の杭頭部と上部のコンクリート構造体とを、杭軸方向に延びコンクリート内に定着される複数本の定着筋を介して接合してなる杭頭接合構造において、前記定着筋として下端に屈曲部を有する複数のＵ字状の定着筋を用い、前記杭頭部の外周部または上端部に取り付けられるリング状の取付金具の周方向に間隔をおいて形成された嵌合溝または嵌合孔に前記Ｕ字状の定着筋の下端屈曲部を嵌合して取り付けてあることを特徴とする杭頭接合構造。
【請求項２】
前記リング状の取付金具は、周方向に複数に分割された部材からなり、前記杭頭部の外周面に取り付けられていることを特徴とする請求項１記載の杭頭接合構造。
【請求項３】
周方向に複数に分割された前記部材は、該部材の両端部に形成された連結部どうしの緊結により、前記杭頭部の外周面に取り付けられていることを特徴とする請求項２記載の杭頭接合構造。
【請求項４】
周方向に分割された前記部材の内周面および前記杭頭部の外周面に互いに嵌合する凹凸が形成されていることを特徴とする請求項２または３記載の杭頭接合構造。
【請求項５】
前記嵌合溝が前記リング状の取付金具の内周面に形成されており、前記Ｕ字状の定着筋が前記杭頭部の外周面と前記リング状の取付金具の内周面との間に挟み込まれていることを特徴とする請求項１、２、３または４記載の杭頭接合構造。
【請求項６】
前記リング状の取付金具は前記杭頭部の外周面または上端部に溶接されていることを特徴とする請求項１記載の杭頭接合構造。
【請求項７】
前記Ｕ字状の定着筋が前記リング状の取付金具と該リング状の取付金具に取り付けたカバープレートとの間に挟み込まれていることを特徴とする請求項１、２、３、４または６記載の杭頭接合構造。
【請求項８】
基礎杭を構成する杭鋼管の杭頭部の外周部または上端部に取り付けられるリング状の取付金具と、前記取付金具の周方向に間隔をおいて配置される複数のＵ字状の定着筋とからなり、前記Ｕ字状の定着筋の下端屈曲部が前記取付金具に形成された嵌合溝または嵌合孔に嵌合されるようになっていることを特徴とする杭頭接合金具。
【請求項９】
前記リング状の取付金具は周方向に複数に分割された部材からなり、前記部材の両端に形成された連結部どうしの緊結により、前記杭頭部の外周面に固定されるようにしたものであることを特徴とする請求項８記載の杭頭接合金具。
【請求項１０】
基礎杭を構成する杭鋼管の杭頭部と上部のコンクリート構造体とを、杭軸方向に延びコンクリート内に定着される複数本の定着筋を介して接合する杭頭接合部の施工方法において、前記定着筋としてのＵ字状の定着筋の下端屈曲部を、リング状の取付金具の周方向に間隔をおいて形成された嵌合溝または嵌合孔に嵌合し、該リング状の取付金具を前記杭頭部の外周部または上端部に取り付けた後、前記コンクリート構造体を構成するコンクリートを打設し、前記定着筋の上部を前記コンクリート内に定着させることを特徴とする杭頭接合部の施工方法。
【発明の詳細な説明】
【０００１】
【発明の属する技術分野】
本願発明は、鋼管杭や鋼管コンクリート杭等の基礎杭を構成する杭鋼管の杭頭部と、その上部に位置するフーチング、スラブ等のコンクリート構造体とを定着筋を介して接合した杭頭接合構造、杭頭接合金具および杭頭接合部の施工方法に関するものである。
【０００２】
【従来の技術】
構造物の基礎に用いられる鋼管杭または鋼管コンクリート杭の杭頭部とフーチング等のコンクリート構造体との接合構造の１つに、鉄筋等を介してこれらを接合する構造がある。
【０００３】
具体的には、図７に示すように杭頭部の鋼管２１の内部に鉄筋籠２２を挿入する鉄筋籠方式、図８に示すように杭頭部の鋼管２１の外周に鉄筋２４を溶接するひげ筋方式、ネジ鉄筋をネジ孔付接続具としてのカプラーで固定するカプラー方式（特許文献１参照）等がある。
【０００４】
しかし、鉄筋籠方式は鉄筋の配置スペースが狭くなるため、鉄筋が過密配筋となり施工性に劣る。また、鋼管内部に鉄筋が配置されるため、曲げに対しての断面効率が悪いといった問題がある。
【０００５】
また、ひげ筋方式は、鉄筋を鋼管に溶接する場合の施工性、溶接品質に問題がある。特許文献１記載のカプラー方式もひげ筋方式と同様にカプラーと鋼管の施工性、溶接性等に問題があり、専用カプラー等によるコストアップも問題となる。
【０００６】
このような問題を解決するものとして、本件出願人は下方に円弧状部を有する接続金具を基礎杭の杭頭部外周に取り付け、杭頭定着筋としてこの接続金具の円弧状部に対応してＵ字形状に形成された接合鉄筋を固定した杭頭接合構造を開発している（特許文献２参照）。
【０００７】
この他、特許文献３には、杭頭アンカー筋の取付構造として、杭頭部の外周面に固定されたバンド状の接合具に、溶接あるいはナット等により杭頭アンカー筋を取り付けるものが記載されており、バンド状の接合具は例えばリングを２分割した形状のものを高力ボルト等で締め付けて固定することとしている。
【０００８】
【特許文献１】
特公平０３−０５４７３６号公報
【特許文献２】
特開２００２−１１５２５６号公報
【特許文献３】
特開２００２−１４６７８１号公報
【特許文献４】
特開２００２−２５６５５２号公報
【０００９】
【発明が解決しようとする課題】
上述のように、従来の鋼管杭または鋼管コンクリート杭の杭頭接合構造には、定着筋の配置スペースによる過密配筋、施工性、曲げに対する断面効率の問題や、特殊なカプラーを用いることによるコスト、溶接性、施工性、品質の問題、鋼重の増加によるコスト、施工性の問題、定着効果の問題等、種々の解決すべき課題がある。
【００１０】
また、Ｕ字状の定着筋を利用した特許文献２記載のものは、定着筋に作用する引張力に対する信頼性が高いが、部品数が多くなるため施工性の問題があり、その他圧縮力に対する耐力の問題、定着筋の位置の調整が難しいといった問題がある。
【００１１】
また、特許文献３記載のものは、アンカー筋をバンド状の接合具に溶接する場合には、現場溶接が困難であり、予め溶接した場合には運搬等に不都合となる。また、アンカー筋をナット等で取り付ける場合も含め、アンカー筋に作用する引張力や圧縮力に対する耐力の問題がある。
【００１２】
本願発明は、上述のような従来技術における課題の解決を図ったものであり、定着筋に作用する引張力や圧縮力に対する信頼性が高く、かつ部品数を少なく抑えることができ、現場における施工に優れた杭頭接合構造、接合金具、および施工方法を提供することを目的としている。
【００１３】
【課題を解決するための手段】
本願の請求項１に係る発明は、基礎杭を構成する杭鋼管の杭頭部と上部のコンクリート構造体とを、杭軸方向に延びコンクリート内に定着される複数本の定着筋を介して接合してなる杭頭接合構造において、前記定着筋として下端に屈曲部を有する複数のＵ字状の定着筋を用い、前記杭頭部の外周部または上端部に取り付けられるリング状の取付金具の周方向に間隔をおいて形成された嵌合溝または嵌合孔に前記Ｕ字状の定着筋の下端屈曲部を嵌合して取り付けてあることを特徴とするものである。
【００１４】
ここでいう上部のコンクリート構造体は、通常はフーチングやスラブ、基礎梁等であるが、直接柱が接合される場合等、杭頭部が接合されるコンクリート構造体であれば特に限定されない。
【００１５】
定着筋は、例えば鉄筋の中央部をＵ字状に屈曲加工したもの等を用いることができるが、ワイヤー状のものをＵ字状に屈曲させたもの、その他杭頭部と上部のコンクリート構造体間で応力の伝達が図るものであれば、鉄筋以外の材質のものでもよい。
【００１６】
上記構成においては、基本的にはＵ字状の定着筋の屈曲部が嵌合溝または嵌合孔に嵌合されることで定着筋が取り付けられるとともに、嵌合部において引張力やその形態によっては圧縮力にも抵抗させることができ、杭鋼管（鋼管杭の場合は杭そのもの、鋼管コンクリート杭の場合はコンクリートが充填されている鋼管）と、上部のコンクリート構造体を無溶接で接合することができ、溶接の場合の施工性や品質の問題を排除し得る。
【００１７】
また、カプラーのような特殊な金物を必要とせず、取付金具と複数のＵ字状の定着筋以外は、必要に応じこれらを接合するための最小限の部品を用いるか、あるいはグラウトを利用するなど、部品数を抑えることで安価な接合が可能となる。
【００１８】
請求項２に係る発明は、請求項１に係る杭頭接合構造において、前記リング状の取付金具が周方向に複数に分割された部材からなり、前記杭頭部の外周面に取り付けられていることを特徴とするものである。
【００１９】
取付金具を杭頭部の外周面に取り付ける場合には、リング状の取付金具を２分割または３分割以上とすることで、杭頭部の外周面に比較的容易に密着させた形で取り付けることができる。なお、形態によっては必ずしも密着させない場合もあり得る。
【００２０】
また、分割数は少ないほど部品数を抑えることができ、かつ分割した部材どうしの連結箇所も少なくなるため、通常は、２分割または３分割程度とするのが好ましい。
【００２１】
請求項３に係る発明は、さらに請求項２に係る杭頭接合構造において、周方向に複数に分割された前記部材が、該部材の両端部に形成された連結部どうしの緊結により、前記杭頭部の外周面に取り付けられていることを特徴とするものである。
【００２２】
例えば、リング状の取付金具を構成する部材の端部にボルト接合のための連結部を設けておき、高力ボルト等を利用して緊結することで取付金具の周方向に緊張力を導入することができ、その緊張力を利用して杭頭部の外周面に密着固定させることができる。
【００２３】
請求項４に係る発明は、請求項２または３に係る杭頭接合構造において、周方向に分割された前記部材の内周面および前記杭頭部の外周面に互いに嵌合する凹凸が形成されていることを特徴とするものである。
【００２４】
取付金具の内周面と杭頭部の接触面が平坦な場合、取付金具の取付けの際に手間を要したり、取付け後もずれが生ずる恐れが考えられるが、互いに嵌合する凹凸が形成されていることで、これらの凹凸を位置決めに利用したり、取付けの際の仮固定あるいは仮支持に利用することができる。また、取付け後は凹凸部分での応力伝達効果も得られる。
【００２５】
これらの凹凸は、例えば取付金具を構成する部材の内周面または杭頭部に凹部を削り出すか、あるいは取付金具や杭鋼管の成形時にあらかじめ凹部を形成しておいたり、杭頭部に鋼材をリング状に巻いたりする（例えば、溶接等により固定する）ことで形成させることができる。
【００２６】
請求項５に係る発明は、請求項１、２、３または４に係る杭頭接合構造において、前記嵌合溝が前記リング状の取付金具の内周面に形成されており、前記Ｕ字状の定着筋が前記杭頭部の外周面と前記リング状の取付金具の内周面との間に挟み込まれていることを特徴とするものである。
【００２７】
取付金具が杭頭部の外周面に取り付けられる場合、嵌合溝を取付金具の内周面側に形成し、Ｕ字状の定着筋の下端屈曲部を嵌合溝内に納めた状態で、取付金具を杭頭部に取り付けることで、Ｕ字状の定着筋の取付金具からの抜け出しが防止でき、コンクリート構造体側からの引張力だけでなく、圧縮力にも抵抗させることができる。
【００２８】
請求項６に係る発明は、請求項１に係る杭頭接合構造において、前記リング状の取付金具が前記杭頭部の外周面または上端部に溶接されていることを特徴とするものである。
【００２９】
リング状の取付金具が溶接されていれば、この取付け金具に別部品としての限られた部品数のＵ字状の定着筋を取り付けることで、現場作業を煩雑にすることなく、安定した杭頭接合構造を得ることができる。
【００３０】
なお、リング状の取付金具の杭鋼管への溶接を工場溶接とすれば、現場での溶接が不要となり、またＵ字状の定着筋は現場で無溶接で取り付けることができるため、現場作業は容易となる。
【００３１】
請求項７に係る発明は、請求項１、２、３、４または６に係る杭頭接合構造において、前記Ｕ字状の定着筋が前記リング状の取付金具と該リング状の取付金具に取り付けたカバープレートとの間に挟み込まれていることを特徴とするものである。
【００３２】
例えば、嵌合溝を取付金具の外周面に設けた場合には、Ｕ字状の定着筋を嵌合溝に嵌合したままでは安定的に保持できないため、請求項７に係る発明では、取付金具にカバープレートを設けることで、取付金具とカバープレートの間にＵ字状の定着筋を挟み込んで抜け出しを防止するとともに、引張力、圧縮力に抵抗できるようにしたものである。
【００３３】
なお、請求項１に係る発明において、Ｕ字状の定着筋を嵌合溝でなく取付金具に設けられた嵌合孔に嵌合する場合、Ｕ字状の定着筋の両端の２つの立ち上がり部を下から２つの嵌合孔に差し込むか、または定着筋が変形追従性を有する場合には、定着筋の一端をＵ字状に形成される嵌合孔の一端に挿入して他端から引き出すといったことが必要となる。
【００３４】
前者の場合、コンクリート構造体からの引抜力に対しては抵抗できるが、そのままでは圧縮力に抵抗できないため、上記外周面側のカバープレートと同様に、Ｕ字状の定着筋を差し込んだ取付金具の下面側にカバープレートを取り付ければ、カバープレートにより圧縮力が作用したときの定着筋の抜け出しを防止し、圧縮力に抵抗させることができる。
【００３５】
本願の請求項８に係る杭頭接合金具は、上記請求項１〜７に係る杭頭接合構造に適用可能な接合金具であり、基礎杭を構成する杭鋼管の杭頭部の外周部または上端部に取り付けられるリング状の取付金具と、前記取付金具の周方向に間隔をおいて配置される複数のＵ字状の定着筋とからなり、前記Ｕ字状の定着筋の下端屈曲部が前記取付金具に形成された嵌合溝または嵌合孔に嵌合されるようになっていることを特徴とするものである。
【００３６】
リング状の取付金具と、Ｕ字状の定着筋は、請求項１〜７に係る杭頭接合構造の説明で述べた通りである。
【００３７】
請求項９に係る発明は、請求項８に係る杭頭接合金具において、前記リング状の取付金具が周方向に複数に分割された部材からなり、前記部材の両端に形成された連結部どうしの緊結により、前記杭頭部の外周面に固定されるようにしたことを特徴とするものである。
【００３８】
この請求項９に係る杭頭接合金具は、請求項３に係る杭頭接合構造に適用されるものであり、分割された部材どうしを高力ボルト等を利用して緊結することで取付金具の周方向に緊張力を導入しつつ、杭頭部の外周面に密着固定させることができる。
【００３９】
本願の請求項１０に係る杭頭接合部の施工方法は、基礎杭を構成する杭鋼管の杭頭部と上部のコンクリート構造体とを、杭軸方向に延びコンクリート内に定着される複数本の定着筋を介して接合する杭頭接合部の施工方法において、前記定着筋としてのＵ字状の定着筋の下端屈曲部を、リング状の取付金具の周方向に間隔をおいて形成された嵌合溝または嵌合孔に嵌合し、該リング状の取付金具を前記杭頭部の外周部または上端部に取り付けた後、前記コンクリート構造体を構成するコンクリートを打設し、前記定着筋の上部を前記コンクリート内に定着させることを特徴とするものである。
【００４０】
請求項１０は、上記請求項１〜７に係る杭頭接合構造を形成するための施工方法の一つを与えるものであるが、請求項１〜７に係る杭頭接合構造の具体的な形成方法については、種々の態様が考えられる。
【００４１】
【発明の実施の形態】
図１および図２は、本願発明の一実施形態を示したものである。
【００４２】
杭頭接合金具を構成するリング状の取付金具１はリングを２分割した２つの円弧状の部材１ａ，１ｂからなり、図２に示すように両側から杭鋼管１０の杭頭部を挟み込むようにして、部材１ａ，１ｂの両端に設けられた連結部２どうしをボルト孔２ａを利用してボルト接合することで、杭頭部に取り付けることができる。
【００４３】
部材１ａ，１ｂからなるリング状の取付金具１の内周面には、Ｕ字状の嵌合溝３が所定間隔をおいて複数形成されており、この嵌合溝３にＵ字状の定着筋５の下端屈曲部が嵌合され、その状態で図２（ｃ）  に示すように、取付金具１を杭鋼管１０の外周面に取り付けることで、嵌合溝３に嵌合したＵ字状定着筋５が杭頭部の外周面と取付金具１の内周面との間に挟み込まれた形で取り付けられる。
【００４４】
嵌合溝３内には必要に応じてモルタルまたは合成樹脂等のグラウト材を充填することで、その硬化によりＵ字状定着筋５のガタをなくし、応力の伝達をよりスムーズとすることができる。
【００４５】
また、この杭鋼管１０の杭頭部の外周面には鋼材を周方向に２条、溶接等により取り付けて凸部１１ａ，１１ｂを形成し、取付金具１の内周面にはこれらの凸部１１ａ，１１ｂに対応する位置に２条の凹部４ａ，４ｂを形成し、互いに嵌合可能としている。
【００４６】
なお、この例では、図２（ａ）  に示すように取付金具１の凹部４ａ，４ｂ部分にテーパーを付けて凸部１１ａ，１１ｂとの嵌合がスムーズになるようにしており、またこのテーパーにより製造寸法誤差を吸収することができる。
【００４７】
さらに、このように、凸部１１ａ，１１ｂと凹部４ａ，４ｂを互いに嵌合可能に設けることで、これらを位置決めに利用したり、取付けの際の仮固定あるいは仮支持に利用することができる。
【００４８】
また、これらの嵌合部に沿って取付金具１の位置を修正できるため、フーチング等の上部のコンクリート構造体の配筋等における施工性を向上させることができ、取付け後についても、この部分で取付金具１と杭鋼管１０間の応力伝達が図れる。
【００４９】
図３は、本願発明における接合金具の他の実施形態について、その周方向の一部と鉛直断面を示したものである。
【００５０】
この例では、取付金具１に嵌合溝でなく、嵌合孔３ａを形成し、嵌合孔３ａに下からＵ字状定着筋５を嵌合している。その状態ではＵ字状定着筋５が抜け落ちる恐れがあるため、図３（ａ）  に示すようにナット６で固定したり（Ｕ字状定着筋５にねじを切っておく）、あるいは図３（ｂ）  に示すように嵌合孔３ａの下端開口部を塞ぐカバープレート７を取り付けることが考えられる。
【００５１】
図中、符号４は図１および図２の実施形態における凹部４ａ，４ｂに対応するものであり、杭鋼管側の凸部を１条とした場合には、取付金具１側の凹部４も１条となる。
【００５２】
図４は、本願発明における接合金物のさらに他の実施形態を示したもので、図３の例ではＵ字状定着筋５の上方に延びる両端部が周方向に並んでいるのに対し、図４の例ではＵ字状定着筋５の上方に延びる両端部が径方向に並んでいる場合であり、定着筋を２重配筋の形で増やす必要がある場合等に適している。
【００５３】
図５は、本願発明における接合金具のさらに他の実施形態を示したもので、複数のＵ字状定着筋５を取り付けた取付金具１が取り付けられる杭鋼管１０の杭頭部に取付金具１の全高分の嵌合凹部８を形成し、取付金具１をこの嵌合凹部８に嵌合して取り付けられるようにしたものである。
【００５４】
この場合も取付金具１としてリングを２分割したものを用い、ボルト等による緊結によって取付金具１を杭頭部に固定したり、あるいは取付金具１を構成する各部材を直接杭頭部にボルトその他で固定するなど、取付金具１の取付け方法は任意である。
【００５５】
図６は、本願発明における接合金具のさらに他の実施形態における要部を示したもので、図６（ａ）  はリング状の取付金具１を杭鋼管１０の上端部に完全溶込み溶接（溶接部１３）により固定した場合の断面図、図６（ｂ）  はその正面図である。また、図６（ｄ）  はリング状の取付金具１を杭鋼管１０の外周部に隅肉溶接（溶接部１４）により固定した場合の断面図である。
【００５６】
これらは、取付金具１の外周面側に間隔をおいてＵ字状の嵌合溝３が複数形成されており、嵌合溝３にＵ字状定着筋５の下端屈曲部を嵌合させ、嵌合部分をカバープレート９で押さえつけることで、Ｕ字状定着筋５の側方からの抜け出しを防止している。
【００５７】
カバープレート９は、図６（ｃ）  に示すようにリングを２分割した部材９ａ，９ｂの端部どうしをボルト等で緊結して締め付けるものでもよいし、各Ｕ字状定着筋５の取付け位置毎にボルト１２で取付金具１または杭鋼管１０に止め付けるものでもよい。
【００５８】
なお、図１および図２の実施形態において説明したように、以上の各実施形態において、Ｕ字状定着筋５が定着される嵌合溝３または嵌合孔３ａに、Ｕ字状定着筋５との隙間を埋めるモルタル、あるいは樹脂等のグラウト材を充填すれば、Ｕ字状定着筋５のガタがなくなり、また３軸的拘束効果が発揮されることで、引張力および圧縮力に対し十分な応力伝達を図ることができる。
【００５９】
また、グラウト材の充填により、ナット６等を省略する場合には、その締め付け手間が不要となり、施工性がさらに向上する。
【００６０】
【発明の効果】
本願発明によれば、杭鋼管と上部のコンクリート構造体を原則として無溶接で、また特殊な接合金物を必要とせず、少ない部品数で接合することができ、品質が安定した安価で施工性の良い杭頭接合部が得られる。
【００６１】
杭頭連結材としてＵ字状に折り曲げた定着筋取り付けた接合金具を取り付けることにより、引張力に対し高い抵抗力を得ることができ、またＵ字状の嵌合溝に嵌合させて取り付けた場合には引張力だけでなく圧縮力に対しても高い耐力を発揮させることができる。
【図面の簡単な説明】
【図１】本願発明における接合金具（取付金具部分のみ）の一実施形態を示したもので、（ａ）  は平面図、（ｂ）  はそのＣ−Ｃ線矢視図である。
【図２】（ａ）  は図１のＡ−Ａ線断面図、（ｂ）  は図１のＢ−Ｂ線展開図、（ｃ）  は図１の取付金具（二点鎖線）の杭鋼管の杭頭部への接合形態を示す正面図、（ｄ）  は同じく平面図である。
【図３】本願発明における接合金具の他の実施形態を示したもので、（ａ）  は接合金具の一部を示す斜視図、（ｂ）  はその鉛直断面図である。
【図４】本願発明における接合金物のさらに他の実施形態を示したもので、（ａ）  は接合金物の一部を示す斜視図、（ｂ）  はその鉛直断面図である。
【図５】本願発明における接合金具のさらに他の実施形態を示したもので、（ａ）  は接合金具の一部を示す正面図、（ｂ）  はその杭鋼管杭頭部への接合形態を示す鉛直断面図である。
【図６】本願発明における接合金具のさらに他の実施形態における要部を示したもので、（ａ）  は取付金具を杭鋼管の上端部に完全溶込み溶接により固定した場合の一形態を示す鉛直断面図、（ｂ）  はその正面図、（ｃ）  はカバープレートの平面図、（ｄ）  は取付金具を杭鋼管の外周部に隅肉溶接により固定した場合の一形態を示す鉛直断面図である。
【図７】従来例としての鉄筋籠方式を示したもので、（ａ）  は水平断面図、（ｂ）  は鉛直断面図である。
【図８】従来例としての溶接ひげ筋方式を示したもので、（ａ）  は水平断面図、（ｂ）  は鉛直断面図、（ｃ）  は定着筋溶接部分の拡大図である。
【符号の説明】
１…取付金具、１ａ，１ｂ…取付金具の構成部材、２…連結部、２ａ…ボルト孔、３…嵌合溝、３ａ…嵌合孔、４，４ａ，４ｂ…凹部、５…Ｕ字状定着筋、６…ナット、７…カバープレート、８…嵌合凹部、９…カバープレート、１０…杭鋼管、１１ａ，１１ｂ…凸部、１２…ボルト、１３…溶接部（完全溶込み溶接）、１４…溶接部（隅肉溶接）、２１…杭鋼管、２２…鉄筋籠、２３…フーチング、２４…鉄筋、２５…溶接
【図１】
2004183220.tif 000003
【図２】
2004183220.tif 000004
【図３】
2004183220.tif 000005
【図４】
2004183220.tif 000006
【図５】
2004183220.tif 000007
【図６】
2004183220.tif 000008
【図７】
2004183220.tif 000009
【図８】
2004183220.tif 000010